(57)【要約】【課題】  どぶさらいや土嚢作りに使う麻袋、屋外清掃用ゴミ袋などの袋を簡単に設置して処理できる作業性に優れた袋保持具であって、作業者が一人でも容易に作業を行うことができる袋保持具を提供するものである。【解決手段】  袋保持具Ａは、横方向に長い略長方形の平板形状で手動にて弾性変形可能な柔軟性を有する基材１にその両端部が重なり合いながら連結して全体として円筒状を構成するように自己形状を維持できるための係止部２、３と、基材１を上方へ引き上げる際に使用できる取手部４と、を有している。【選択図】図１
0003213845.tif 000002
【実用新案登録請求の範囲】
【請求項１】
横方向に長い略長方形の平板形状で手動にて弾性変形可能な柔軟性を有する基材にその両端部が重なり合いながら連結して全体として円筒状を構成するように自己形状を維持できるための係止部と、前記基材を上方へ引き上げる際に使用できる取手部と、が形成してあることを特徴とする袋保持具。
【請求項２】
前記基材が樹脂製平板からなり、前記基材の一方の端部の近傍に縦方向に延びる平行した２個の縦スリットと、前記縦スリットの近傍で前記基材の中央寄りの上部に水平方向に延びる１個の横スリットと、前記基材の他方の端部が前記縦スリットに内外方向から挿入されかつ前記横スリットに係止されるスリット係止用切欠と、が形成してあることを特徴とする請求項１に記載の袋保持具。
【考案の詳細な説明】
【技術分野】
【０００１】  本考案は、泥上げや土嚢作りに使う麻袋、屋外清掃時ゴミ収納用のナイロン袋などの袋を簡単に設置して処理できる作業性に優れた袋保持具に関するものである。
【背景技術】
【０００２】  従来麻袋に泥や土砂などを詰め込む際に、袋のみでは自立困難であるため、作業を行ないにくく、複数の作業者で作業しなければならないなどの人手を要していた。【０００３】  このような問題に着目して、前記袋を自立させ、作業者一人でも作業が行えるようにするための袋保持具としての各種スタンドが知られている（例えば、特許文献１〜３参照）。
【先行技術文献】
【特許文献】
【０００４】
【特許文献１】特開２０１１−１１１２７７号公報
【特許文献２】特開２０１３−０２４０２５号公報
【特許文献３】特開２０１５−０５７３５９号公報
【特許文献４】実用新案登録第３２０７８３１号公報
【考案の概要】
【考案が解決しようとする課題】
【０００５】  従来のスタンドは、袋をスタンドの上方からその中央内部へ設置し、袋に土砂などを入れた後、今度はその土砂の入った重量のある袋をスタンドから再び取り外すためにスタンドの上方へ引き出さなければならず、作業性に問題を有していた。【０００６】  斯かる問題を解決し得るものとして、本出願人は、泥上げや土嚢作りに使う麻袋、屋外清掃時ゴミ収納用のナイロン袋などの袋を簡単に設置して処理できる作業性に優れる袋保持具（以下、「先考案品」という。）を提案した（特許文献４参照）。【０００７】  本考案は、上記先考案品の改良に係り、製造及び取扱あるいは保管の更なる容易化を実現する袋保持具の提供を目的とするものである。
【課題を解決するための手段】
【０００８】  本考案の袋保持具は、前記目的を達成するために、横方向に長い略長方形の平板形状で手動にて弾性変形可能な柔軟性を有する基材にその両端部が重なり合いながら連結して全体として円筒状を構成するように自己形状を維持できるための係止部と、前記基材を上方へ引き上げる際に使用できる取手部と、を有する。【０００９】  上記構成により、袋の中に泥や土砂やゴミなどを入れた後に、袋を持ち上げずに袋保持具を袋から分離できるのは先考案品と同様であり、更に、前記基材が平板形状であることから製造が容易であり、しかも、前記基材の両端部を係止して円筒状に構成するだけで使用することができるので、使用も容易となる。【００１０】  特に、前記基材が樹脂製平板からなり、前記基材の一方の端部の近傍に縦方向に延びる平行した２個の縦スリットと、前記縦スリットの近傍上部に水平方向に延びる１個の横スリットと、前記基材の他方の端部が前記縦スリットに内外方向から挿入されかつ前記横スリットに係止されるスリット係止用切欠と、を有する。【００１１】  上記構成により、前記袋保持具が１個の前記基材で構成されることから、保管が容易となる。
【考案の効果】
【００１２】  上述したように本考案に係る袋保持具は、先考案品と同様な作業性を発揮することに加えて、製造及び取扱あるいは保管の更なる容易化を実現することができるものである。
【図面の簡単な説明】
【００１３】
【図１】  本考案の実施形態の平面図
【図２】  同上の使用状況を説明する斜視図
【図３】  本考案の実施形態に係る実物の平面写真
【図４】  同上の斜視写真
【図５】  同上の使用状態を説明する斜視写真
【考案を実施するための形態】
【００１４】  以下、本考案の実施形態を図面に基づいて説明する。
【００１５】  １は、横方向に長い略長方形の平板形状であって、手動にて弾性変形可能な柔軟性を有する樹脂製平板からなる基材であり、袋保持具Ａの本体を構成している（図１参照）。
【００１６】  基材１の一方（図１の左側）の端部の近傍には、縦方向に延びる平行した２個の縦スリット２ａ、２ｂと、内側の縦スリット２ｂの近傍で基材１の中央寄りの上部には水平方向に延びる１個の横スリット２ｃが形成され、後述する袋保持具Ａの使用時における基材１の形状を保持するための位置保持用スリット２を構成している。
【００１７】  基材１の他方（図１の右側）の端部は、縦スリット２ａ、２ｂに挿入されるように縦方向が前記一方の端部に比べて幅狭形状に形成されており、この他方の端部を縦スリット２ａ、２ｂに内外から順次挿入できる構成となっており、斯かる挿入時に前記他方の端部が前記一方の端部と重なり合いながら連結して、基材１が全体として円筒状を構成するように自己形状を維持できるための横スリット２ｃに係合するスリット係止用切欠３が形成してある。
【００１８】  これら位置保持用スリット２及びスリット係止用切欠３が、基材１を全体として円筒状に保持するための係止部を構成している。
【００１９】  なお、基材１の上部には、２個の略正方形の形状の取手用孔４ａ、４ｂが形成してあり、これらが基材１を持って引き上げ可能とする取手部４を構成している。
【００２０】  この袋保持具Ａの基材１を、円筒状に保持した状態で、上方が開口している袋Ｂの内部に収納する（図２参照）。
【００２１】  この状態で、基材１である袋保持具Ａを仕切りとして袋Ｂの内部に泥や土砂（何れも図示しない）などを入れることができる。
【００２２】  基材１の内部に泥や土砂などが入った後、取手部４に指を掛けて持ち上げることにより基材１を上方へ移動させて、袋保持具Ａを袋Ｂから離すことにより、袋Ｂは自重により移動することなく状態を保つため、袋保持具Ａと袋Ｂとを容易に分離することができる。
【００２３】  このように、袋保持具Ａは、例えば子供や女性など力が強くない作業者であっても容易かつ確実に作業を行なうことができる。
【００２４】  また、袋保持具Ａが１個の基材１で構成されることから、保管が容易となる。
【００２５】  図３は、本考案の実施形態に係る実物の平面写真であり、図４は、同上を全体として円筒状に構成した斜視写真、図５は、同上の使用状態を説明する斜視写真図である。
【００２６】  袋保持具Ａの大きさや形状は任意に形成することが可能であり、例えば基材１の横×縦を１４０×４０センチメートル程度で構成すると、収納容量が約２０リットル用の袋Ｂに収納して使用することができる。
【００２７】  なお、基材１は、基材１を手動にて弾性変形可能な柔軟性を有するものであれば使用可能であり、例えば薄い金属板であっても良い。
【００２８】  また、基材１を全体として円筒状に構成するための前記係止部として、位置保持用スリット２及びスリット係止用切欠３にて構成しているが、前記両端部に面ファスナーや、紐、ボタンなどを設けることでも実現することができるが、使用勝手や経年変化などを考慮する必要がある。
【００２９】  また、取手部４としては、取手用孔４ａ、４ｂに限らず、フックにて基材１へ着脱自在に装着することのできる別体の取手であっても良い。
【符号の説明】
【００３０】１  基材
２（２ａ、２ｂ、２ｃ）  位置保持用スリット（係止部）
３  スリット係止用切欠（係止部）
４（４ａ、４ｂ）  取手用孔（取手部）
Ａ  袋保持具
Ｂ  袋
【図１】
0003213845.tif 000003
【図２】
0003213845.tif 000004
【図３】
0003213845.tif 000005
【図４】
0003213845.tif 000006
【図５】
0003213845.tif 000007
【手続補正書】
【提出日】平成29年9月15日(2017.9.15)
【手続補正１】
【補正対象書類名】実用新案登録請求の範囲
【補正対象項目名】請求項２
【補正方法】変更
【補正の内容】
【請求項２】
前記基材が樹脂製平板からなり、前記係止部が前記基材の一方の端部の近傍に縦方向に延びる平行した２個の縦スリットと、前記縦スリットの近傍で前記基材の中央寄りの上部に水平方向に延びる１個の横スリットと、前記基材の他方の端部が前記縦スリットに内外方向から挿入されかつ前記横スリットに係止されるスリット係止用切欠とからなり、前記取手部が前記基材の上部に設けた取手用孔からなることを特徴とする請求項１に記載の袋保持具。
【手続補正２】
【補正対象書類名】明細書
【補正対象項目名】００１０
【補正方法】変更
【補正の内容】
【００１０】  特に、前記基材が樹脂製平板からなり、前記係止部が前記基材の一方の端部の近傍に縦方向に延びる平行した２個の縦スリットと、前記縦スリットの近傍で前記基材の中央寄りの上部に水平方向に延びる１個の横スリットと、前記基材の他方の端部が前記縦スリットに内外方向から挿入されかつ前記横スリットに係止されるスリット係止用切欠とからなり、前記取手部が前記基材の上部に設けた取手用孔からなる。